(57)【要約】【課題】決済処理を簡略化できる決済装置およびプログラムを提供する。【解決手段】実施形態の決済装置は、カード払い時に適用する支払方法を選択可能とするか選択不可能とするかのいずれか１つの選択を受付ける受付手段と、前記受付手段が前記支払い方法を選択不可能とする旨を受付けた場合には、予め定められた支払方法を用いて決済を行う決済手段と、を備える。【選択図】図２
2012215981.tif 000002
【特許請求の範囲】
【請求項１】
カード払い時に適用する支払方法を選択可能とするか選択不可能とするかのいずれか１つの選択を受付ける受付手段と、
前記受付手段が前記支払い方法を選択不可能とする旨を受付けた場合には、予め定められた支払方法を用いて決済を行う決済手段と、
を備える決済装置。
【請求項２】
カードの読取操作を案内する案内画面を表示部に表示させる第１表示制御手段と、
前記受付手段が前記支払い方法を選択不可能とする旨を受付けた場合には、前記案内画面の表示後に、前記カードの暗証番号を受付ける受付画面を前記表示部に表示させる第２表示制御手段と、
を備える請求項１に記載の決済装置。
【請求項３】
前記受付手段が前記支払い方法を選択不可能とする旨を受付けた場合には、前記カード払い時に適用する支払方法を選択する選択画面を表示部に表示させない第３表示制御手段を備える、請求項１または２に記載の決済装置。
【請求項４】
サーバと通信を行う通信手段を備え、
前記決済手段は、前記受付手段が前記支払い方法を選択不可能とする旨を受付けた場合には、カードの識別情報と、前記予め定められた支払方法を示す情報と、一取引の決済金額とを含む決済情報を、前記通信手段によって前記サーバに送信することにより決済を行う、請求項１ないし３のいずれか１つに記載の決済装置。
【請求項５】
前記受付手段が前記支払い方法を選択不可能とする旨を受付けた場合には、前記カード払い時に適用する支払方法を前記予め定められた支払方法とする旨を記憶手段に設定する設定手段を備える、請求項１ないし４のいずれか１つに記載の決済装置。
【請求項６】
決済装置を制御するコンピュータを、
カード払い時に適用する支払方法を選択可能とするか選択不可能とするかのいずれか１つの選択を受付ける受付手段と、
前記受付手段が前記選択不可能と受付けた場合には、予め定められた支払方法を用いて決済を行う決済手段と、
として機能させるプログラム。
【発明の詳細な説明】
【技術分野】
【０００１】
本発明の実施形態は、決済装置およびプログラムに関する。
【背景技術】
【０００２】
従来、量販店等の店舗においては、ＰＯＳ（Point  Of  Sales：販売時点データ管理）端末やＥＣＲ（Electronic  Cash  Register）装置等の販売登録装置に、カード決済用の決済装置が接続されて用いられている。
【０００３】
このような決済装置においては、磁気カードやＩＣ（Integrated  Circuit）カードに保存されたカード番号等の情報をカード会社に送信することによって、カードが正規のカードであることを認証することができる。また、カード会社はユーザ登録情報に基づいて利用者が利用できる支払方法に関する情報を送信する。決済装置はこの情報に基づいて、一括払い、分割払い等、ユーザが選択できる支払方法を決済装置の表示部に表示させて、ユーザによる支払方法の選択を受付けることができる。
【発明の概要】
【発明が解決しようとする課題】
【０００４】
ところで、上述のような決済装置においては、決済処理を簡略化し、決済処理にかかる処理時間を短縮化することが望まれている。
【課題を解決するための手段】
【０００５】
実施形態の決済装置は、カード払い時に適用する支払方法を選択可能とするか選択不可能とするかのいずれか１つの選択を受付ける受付手段と、前記受付手段が前記支払い方法を選択不可能とする旨を受付けた場合には、予め定められた支払方法を用いて決済を行う決済手段と、を備える。
【図面の簡単な説明】
【０００６】
【図１】図１は、本実施形態に係るＰＯＳシステムの構成を示す図である。
【図２】図２は、決済装置の電装系の構成を示すブロック図である。
【図３】図３は、支払方法設定画面の一例を示す図である。
【図４】図４は、支払選択画面の一例を示す図である。
【図５】図５は、決済装置において実行される支払方法の設定処理の手順を示すフローチャートである。
【図６】図６は、ＰＯＳシステムにおいて行われるカード決済処理の手順を示すシーケンス図である。
【図７】図７は、データ受信画面の一例を示す図である。
【図８】図８は、カード案内画面の一例を示す図である。
【図９】図９は、暗証番号受付画面の一例を示す図である。
【図１０】図１０は、通信中の画面の一例を示す図である。
【図１１】図１１は、承認画面の一例を示す図である。
【図１２】図１２は、データ送信画面の一例を示す図である。
【発明を実施するための形態】
【０００７】
図１は、本実施形態に係るＰＯＳシステム１の構成を示す図である。図１に示すように、ＰＯＳシステム１は、ＰＯＳ端末３００と、決済装置１００とがインタフェースによって接続されて構成されている。また、決済装置１００にはピンパッド端末２００が接続されている。
【０００８】
決済装置１００は、ＩＣカードや磁気カードからカード情報を読み込み、カード会社のサーバと通信を行ってカード決済処理を行う装置である。図１に示すように、決済装置１００の本体１０１の側部には電源スイッチ１０２が設けられている。また、本体１０１の上部には、本体１０１に対して開閉可能な上面パネル１０３が設けられており、上面パネル１０３を開くことで本体１０１内部にレシート用紙をセットすることができる。そして、この上面パネル１０３の表面には、タッチパネルを表面に配設した表示部１０４が設けられている。
【０００９】
また、本体１０１の側面上部には、決済用のカード（例えば、クレジットカードやデビットカード等）から当該カードに格納されている情報を読み取るカードリーダ１０５が設けられている。本体１０１内部には、上述のレシート用紙に決済に関する情報等を印刷するプリンタ１０６（図２参照）が備えられている。印刷後のレシート用紙は本体１０１と上面パネル１０３との間に設けられているレシート発行口１０８から発行される。
【００１０】
さらに、上面パネル１０３には、カードリーダ１０５が読み込んだカード情報や、タッチパネル式の表示部１０４から入力された入力情報をクリアするリセットボタン１０７が設けられている。
【００１１】
ピンパッド端末２００は、カード利用者がＩＣカード等の暗証番号を入力する場合に用いる装置である。図１に示すように、ピンパッド端末２００の本体背面には、ＩＣカード等を差し込むカード差込口２０１が設けられている。また、ピンパッド端末２００の本体上部には、カード利用者が暗証番号（PIN：Personal  Identification  Number）を入力する場合に用いるピンパッド２０２が設けられている。
【００１２】
ＰＯＳ端末３００は、客が購入する商品の会計処理を行う装置であり、現金決済の場合に一取引の決済処理を行う。また、クレジットカードやデビットカード等のカード決済を行う場合には、ＰＯＳ端末３００は決済装置１００と連動して一取引の決済処理（カード決済処理）を行う。
【００１３】
ＰＯＳ端末３００は、量販店等の店舗で一般的に用いられるＰＯＳ端末と同等の構成を有している。即ち、図１に示すように、ＰＯＳ端末３００の本体３０１の上部には、店員用の表示部３０２と客用の表示部３０３とが設けられている。各表示部３０２、３０３は、ＬＣＤ（Liquid  Cristal  Display）或いはタッチパネルを表面に配設したＬＣＤによって構成され、商品名や商品の金額、一取引の合計金額等を表示する。また、本体３０１の上面には、キーボード３０４が配設されており、現金決済またはクレジット決済等の決済方法を選択する現金決済キーやクレジット決済キー等が設けられている。さらに、本体３０１内部にはレシート等を印刷するプリンタ３０５が設けられている。プリンタ３０５によって印刷されたレシート用紙は、本体３０１上部に設けられたレシート発行口３０６から発行される。
【００１４】
次に、決済装置１００の電装系の構成について説明する。図２は、決済装置１００の電装系の構成を示すブロック図である。
【００１５】
図２に示すように、決済装置１００においては、制御部として機能するＣＰＵ１１０に、表示コントローラ１１１、リセットボタン１０７、電源スイッチ１０２、カードリーダ１０５、プリンタ１０６、メモリ１１２等が各種バスやインタフェースで接続されて構成されている。また、表示コントローラ１１１には図１で上述した表示部１０４が接続される。さらに、ＣＰＵ１１０は、通信Ｉ／Ｆ（インタフェース）１１３等を介してピンパッド端末２００およびＰＯＳ端末３００と相互に通信可能となっている。
【００１６】
表示コントローラ１１１は表示部１０４における入出力処理を制御する。図２に示すように、表示部１０４は、ＬＣＤ１０４ａと、ＬＣＤ１０４ａ上に設けられたタッチパネル１０４ｂとを備えている。ＣＰＵ１１０が表示コントローラ１１１を介して表示部１０４を制御することにより、表示部１０４はＧＵＩ（Graphical  User  Interface）として機能する。即ち、表示コントローラ１１１は、メモリ１１２に格納されている各種表示画面をＬＣＤ１０４ａに表示する。また、表示コントローラ１１１は、タッチパネル１０４ｂにおけるタッチ入力をタッチ位置に対応付けて受付ける。
【００１７】
メモリ１１２には、ＣＰＵ１１０が実行する各種プログラムや、ＬＣＤ１０４ａに表示される各種表示画面に関するデータが格納されている。
【００１８】
本実施形態にかかるプログラムは、決済装置１００の設定処理時に用いられる保守員専用アプリケーション３１と、決済処理時に用いられる決済用アプリケーション３２とを含むモジュール構成となっている。
【００１９】
ここで、保守員専用アプリケーション３１とは、決済装置１００を店舗に設置する場合、或いは支払方法の設定を変更する場合に、保守員（設置員）が用いるアプリケーションである。保守員は、この保守員専用アプリケーション３１のＧＵＩを介して、決済装置１００の各種設定、決済装置１００とＰＯＳ端末３００との間の各種設定、決済装置１００とピンパッド端末２００との間の各種設定等を行う。
【００２０】
ＣＰＵ１１０は、メモリ１１２に格納されている保守員専用アプリケーション３１のプログラムを読み出して実行することにより、図２に示すように、表示制御部１１と、支払方法設定部１２として機能する。また、ＣＰＵ１１０は、メモリ１１２に格納されている決済用アプリケーション３２のプログラムを読み出して実行することにより、表示制御部１３と、読込部１４と、送信部１５と、受信部１６ととして機能する。
【００２１】
まず、決済装置１００の設定処理について説明する。決済装置１００の設定処理時には、保守員が決済装置１００のタッチパネル１０４ａに対して所定の操作を行って、保守員専用アプリケーション３１を起動させる。
【００２２】
表示制御部１１は、表示コントローラ１１１を制御して、各種画面をＬＣＤ１０４ａに表示させる。即ち、表示制御部１１は決済装置１００の設定処理時に、保守員専用アプリケーション３１のプログラムに従って、支払方法設定画面２１（図３参照）を表示する。
【００２３】
図３は、支払方法設定画面２１の一例を示す図である。支払方法設定画面２１は、決済処理において支払選択画面２４（図４参照）をＬＣＤ１０４ａに表示させるか否かを設定するためのＧＵＩである。
【００２４】
ここで、図４は、支払選択画面２４の一例を示す図である。支払選択画面２４とは、カード決済を行う場合にユーザ（カード保有者）が使用できる支払方法を選択する画面である。支払選択画面２４には、支払合計額と、支払方法の選択をユーザに促すメッセージとともに、ユーザが選択可能である支払方法が表示される。即ち図４の例では、一括払いを選択する一括ボタン２４ａと、分割払いを選択する分割ボタン２４ｂと、ボーナス払いを選択するボーナスボタン２４ｃと、ボーナス併用払いを選択するボーナス併用ボタン２４ｄと、リボ払いを選択するリボボタン２４ｅとが選択可能に設けられている。ユーザは、これらのボタンのうちいずれか１つをタッチ選択することにより、その支払方法を選択することができる。
【００２５】
そして、図３において、支払方法設定画面２１には、決済処理において支払選択画面２４を表示させるよう設定する表示ボタン２１ａと、決済処理において支払選択画面２４を表示させないよう設定する非表示ボタン２１ｂとが設けられている。また、支払方法設定画面２１には、現在の設定２１ｃが表示され、現在、支払選択画面２４を表示させる設定となっているか非表示の設定となっているかが表示される。
【００２６】
支払方法設定部１２（図２参照）は、支払方法設定画面２１において表示ボタン２１ａが選択された場合には、決済処理において支払選択画面２４を表示させる旨をメモリ１１２に設定（格納）する。この場合、メモリ１１２には、カード払い時に適用する支払方法を統一する旨は設定されない。従って、決済処理時には支払選択画面２４において支払方法を選択することができる。
【００２７】
また、支払方法設定部１２は、支払方法設定画面２１において非表示ボタン２１ｂが選択された場合には、決済処理において支払選択画面２４を表示させない旨をメモリ１１２に設定する。また、この場合に、支払方法設定部１２は、決済装置１００において統一して適用するカード支払方法の一例として、一括払いを適用して決済を行う旨をメモリ１１２に設定する。
【００２８】
尚、ここでは、統一して適用する支払方法の一例として一括払いを用いる旨を予め定めているが、その他の支払方法を統一して適用する支払方法として予め定めておくとしてもよい。
【００２９】
上述のように、支払方法設定画面２１は、カード払い時に適用する支払方法を決済処理時に選択可能とするか選択不可能とするかのいずれか１つの選択を受付ける受付手段として機能する。
【００３０】
次に、図５を用いて支払方法の設定処理の手順について説明する。図５は、決済装置１００において実行される支払方法の設定処理の手順を示すフローチャートである。
【００３１】
まず、ＣＰＵ１１０は、タッチパネル１０４ｂに対する所定の操作を受付けた場合に、保守員専用アプリケーション３１を起動する（ステップＳ１）。そして、表示制御部１１は、図３に示すような支払方法設定画面２１をＬＣＤ１０４ａに表示させる（ステップＳ２）。
【００３２】
支払方法設定部１２は、表示ボタン２１ａまたは非表示ボタン２１ｂがタッチ選択されたか否かを判定する（ステップＳ３）。いずれのボタンも選択されていない場合（ステップＳ３：Ｎｏ）には、入力待ちを行う（ステップＳ３）。
【００３３】
支払方法設定部１２は、いずれかのボタンが選択された場合（ステップＳ３：Ｙｅｓ）には、選択されたボタンに応じて支払選択画面２４の表示設定をメモリ１１２に設定する（ステップＳ４）。即ち、支払方法設定部１２は、表示ボタン２１ａがタッチ選択された場合には、決済処理において支払選択画面２４を表示させる旨をメモリ１１２に設定する。
【００３４】
また、支払方法設定部１２は、非表示ボタン２１ｂがタッチ選択された場合には、決済処理において支払選択画面２４を表示させない旨と、カード決済において適用する支払方法を統一する旨とをメモリ１１２に設定する。一例として、支払方法設定部１２は、カード払い時に統一して適用する支払方法として一括払いを適用する旨をメモリ１１２に設定する。
【００３５】
次に、決済処理について説明する。決済処理時には、上述の決済用アプリケーション３２が用いられる。
【００３６】
表示制御部１３は、表示コントローラ１１１を制御して、各種画面をＬＣＤ１０４ａに表示させる。即ち、表示制御部１３は、決済装置１００における決済処理時に、決済用アプリケーション３２に従って、データ受信画面２２（図７参照）、カード案内画面２３（図８参照）、支払選択画面２４（図４参照）、暗証番号受付画面２５（図９参照）、通信中の画面２６（図１０参照）、承認画面２７（図１１参照）、データ送信画面２８（図１２参照）等の画面をＬＣＤ１０４ａに表示させる。
【００３７】
読込部１４は、カードリーダ１０５が読み取ったカードの磁気情報からカード番号を読み込む。或いは、読込部１４は、ピンパッド端末２００のカード差込口２０１に差し込まれたカードのＩＣチップから、そのカードのカード番号を読み込む。
【００３８】
送信部１５は、ＰＯＳ端末３００、ピンパッド端末２００、決済装置１００にネットワーク接続されたカード会社のサーバに対して各種データを送信する。
【００３９】
受信部１６は、ＰＯＳ端末３００、ピンパッド端末２００、決済装置１００にネットワーク接続されたカード会社のサーバから各種データを受信する。
【００４０】
また、送信部１５および受信部１６は、カード会社のサーバとの間で決済にかかる情報（決済情報）を送受信して一取引の決済についてカード会社の承認を得る。これにより、送信部１５および受信部１６は、一取引にかかるカード決済を行う決済手段として機能する。
【００４１】
次に、図６を用いてＰＯＳシステム１において行われる決済処理の手順について説明する。図６は、ＰＯＳシステム１において行われるカード決済処理の手順を示すシーケンス図である。
【００４２】
まず、ＰＯＳ端末３００において一取引に関する会計処理が行われ、客がこの会計に対する決済をクレジットカードによって行う旨を申告する。店員は、ＰＯＳ端末３００のキーボード３０４または表示部３０２に設けられたタッチパネルにおいて、クレジット決済キーを選択する（ステップＳ１１）。ＰＯＳ端末３００は、通信Ｉ／Ｆ１１３を介して接続された決済装置１００に対して、この会計に係る支払い金額や店舗名等のカード決済に用いるデータを送信する（ステップＳ１２）。
【００４３】
決済装置１００において、受信部１６はＰＯＳ端末３００から送信された各種データを受信する（ステップＳ１３）。また、表示制御部１３は、データ受信時に図７に示すようなデータ受信画面２２をＬＣＤ１０４ａに表示させる。
【００４４】
図７に示すように、データ受信画面２２には、データ通信先がＰＯＳ端末３００であることを示すＰＯＳマーク２２ａが表示され、ＰＯＳ端末３００との通信中であるメッセージや画像等が表示される。
【００４５】
そして、データ受信が完了すると表示制御部１３は、図８に示すようなカード案内画面２３をＬＣＤ１０４ａに表示させる（ステップＳ１４）。
【００４６】
カード案内画面２３は、カードの読み取り操作を案内する画面である。図８に示すように、カード案内画面２３には、磁気カードを決済装置１００のカードリーダ１０５に読み取らせる旨の案内や、ＩＣカードをピンパッド端末２００のカード差込口２０１に差し込ませる旨の案内等が表示される。客あるいは店員は、この案内に従って、磁気カードやＩＣカードのカード情報の読込処理を行う。
【００４７】
次に、ＣＰＵ１１０は、メモリ１１２に支払選択画面２４を表示させる旨が設定されているか否かを判定する（ステップＳ１５）。
【００４８】
まず、ステップＳ１５で支払選択画面２４を表示させる旨が設定されている場合（ステップＳ１５：Ｙｅｓ）について説明する。このように支払選択画面２４を表示させる旨が設定されている場合（ステップＳ１５：Ｙｅｓ）には、ステップＳ１６に移行し、ステップＳ１６〜Ｓ１８で支払選択画面２４における各処理を行う。
【００４９】
まず、送信部１５は、ステップＳ１４で読み込んだカード番号をカード会社のサーバに送信する。受信部１６は、このカード番号に対して使用可能である支払方法を示すデータをカード会社のサーバから受信する（ステップＳ１６）。そして、表示制御部１３は、受信した支払方法に関するデータに基づいて、図４に示すような支払選択画面２４をＬＣＤ１０４ａに表示させる（ステップＳ１７）。
【００５０】
ＣＰＵ１１０は、支払選択画面２４において支払方法の選択を受付けたか否かを判定する（ステップＳ１８）。支払選択画面２４においていずれか１つの支払方法の選択を受け付けた場合（ステップＳ１８：Ｙｅｓ）にはステップＳ１９に移行する。支払方法の選択を受け付けない間（ステップＳ１８：Ｎｏ）は、ステップＳ１８において受付待ちをする。
【００５１】
次に、ＣＰＵ１１０は、ステップＳ１４で読み込みが行われたカードはＩＣカードであるか否かを判定する（ステップＳ１９）。ＩＣカードである場合（ステップＳ１９：Ｙｅｓ）には、表示制御部１３は、図９に示すような暗証番号受付画面２５をＬＣＤ１０４ａに表示させる（ステップＳ２０）。
【００５２】
図９は、暗証番号受付画面２５の一例を示す図である。図９に示すように、暗証番号受付画面２５には、暗証番号をピンパッド端末２００のピンパッド２０２から入力するよう促す旨のメッセージや画像等の案内が表示される。客はこの案内に従ってカードの暗証番号をピンパッド２０２から入力する。
【００５３】
そして、暗証番号受付画面２５において暗証番号の入力を受け付けると、送信部１５は受付けた暗証番号と、カード番号と、一取引の決済金額と、ステップＳ１８で支払選択画面２４から受付けた支払方法を示す情報とを含む決済情報をカード会社のサーバに送信する（ステップＳ２１）。また、ステップＳ２１において表示制御部１３は、図１０に示すような通信中の画面２６をＬＣＤ１０４ａに表示させて、決済情報を送信中である旨を表示する。
【００５４】
一方、ＩＣカードでない場合（ステップＳ１９：Ｎｏ）には、送信部１５はカード番号と、一取引の決済金額と、ステップＳ１８で支払選択画面２４から受付けた支払方法を示す情報と、を含む決済情報をカード会社のサーバに送信する（ステップＳ２２）。また、ステップＳ２２において表示制御部１３は、図１０に示すような通信中の画面２６をＬＣＤ１０４ａに表示させて、決済情報を送信中である旨を表示する。
【００５５】
次に、ステップＳ１５で支払選択画面２４を表示させない旨が設定されている場合（ステップＳ１５：Ｎｏ）について説明する。このようにメモリ１１２にカード払い時に適用する支払方法を統一する旨が記憶されている場合に、表示制御部１３は支払選択画面２４を表示させる処理（ステップＳ１７参照）を行わない。そして、ＣＰＵ１１０は、予め定められた支払方法として一括払いを適用して決済を行う。
【００５６】
即ち、ＣＰＵ１１０はステップＳ１５：Ｎｏである場合にステップＳ３０に移行する。そしてＣＰＵ１１０は、ステップＳ１４で読み込みが行われたカードはＩＣカードであるか否かを判定する（ステップＳ３０）。ＩＣカードである場合（ステップＳ３０：Ｙｅｓ）には、表示制御部１３は、図９に示すような暗証番号受付画面２５をＬＣＤ１０４ａに表示させる（ステップＳ３１）。
【００５７】
そして、暗証番号受付画面２５において暗証番号の入力を受け付けると、送信部１５は受付けた暗証番号と、カード番号と、一取引の決済金額と、この決済に一括払いを適用する旨の情報と、を含む決済情報をカード会社のサーバに送信する（ステップＳ３２）。また、ステップＳ３２において表示制御部１３は、図１０に示すような通信中の画面２６をＬＣＤ１０４ａに表示させて、決済情報を送信中である旨を表示する。
【００５８】
一方、ＩＣカードでない場合（ステップＳ３０：Ｎｏ）には、送信部１５はカード番号と、一取引の決済金額と、この決済に一括払いを適用する旨の情報と、を含む決済情報をカード会社のサーバに送信する（ステップＳ３３）。また、ステップＳ３３において表示制御部１３は、図１０に示すような通信中の画面２６をＬＣＤ１０４ａに表示させて、決済情報を送信中である旨を表示する。
【００５９】
そして、カード会社のサーバは決済装置１００から上述の決済情報を受信する。カード会社のサーバは、受信した決済情報に基づいてこの決済を執行する旨の承認を行い、さらに、決済情報を承認した旨の応答を決済装置１００に送信する。
【００６０】
決済装置１００の受信部１６はカード会社のサーバからこの応答を受信する。そして、表示制御部１３は、図１１に示すような承認画面２７をＬＣＤ１０４ａに表示させる（ステップＳ２３）。
【００６１】
次に、送信部１５は、この決済を識別する取引番号や決済金額、カード番号、カード会社、支払方法等のデータをＰＯＳ端末３００に送信する（ステップＳ２４）。これに伴い、表示制御部１３は、図１２に示すようなデータ送信画面２８をＬＣＤ１０４ａに表示させる（ステップＳ２５）。
【００６２】
図１２に示すように、データ送信画面２８には、データ通信先がＰＯＳ端末３００であることを示すＰＯＳマーク２８ａが表示され、ＰＯＳ端末３００との通信中であるメッセージや画像等が表示される。
【００６３】
ＰＯＳ端末３００は、決済装置１００からのデータ受信が完了したか否かを判定し（ステップＳ２６）、データ受信が完了するまで（ステップＳ２６：Ｎｏ）処理待ちをする（ステップＳ２６）。データ受信が完了した場合（ステップＳ２６：Ｙｅｓ）には、プリンタ３０５によってレシートを印刷し、レシート発行口３０６からレシートを発行して（ステップＳ２７）、この決済処理を終了する。
【００６４】
一方、決済装置１００のＣＰＵ１１０は、ＰＯＳ端末３００へのデータ送信が完了したか否かを判定し（ステップＳ２８）、データ送信が完了するまで（ステップＳ２８：Ｎｏ）処理待ちをする（ステップＳ２８）。データ送信が完了した場合（ステップＳ２８：Ｙｅｓ）には、プリンタ１０６によってこの決済を識別する取引番号や、決済金額、カード番号等をレシート用紙に印刷する。そして、決済装置１００は、印刷後のレシートをレシート発行口１０８から発行して（ステップＳ２９）、この決済処理を終了する。
【００６５】
以上説明したとおり、本実施形態によれば、カード払い時に適用する支払方法を選択不可能とする選択を受付けた場合には、予め定められた支払方法を用いて決済を行う。従って、支払方法を選択する処理を省略することが可能となり、決済処理を簡略化し、決済処理にかかる処理時間を短縮化することができる。
【００６６】
なお、本実施形態の決済装置１００で実行されるプログラムは、ＲＯＭ等のメモリに予め組み込まれて提供される。本実施形態の決済装置１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００６７】
さらに、本実施形態の決済装置１００で実行されるプログラムを、インターネット等のネットワークに接続されたコンピュータ上に格納し、ネットワーク経由でダウンロードさせることにより提供するように構成しても良い。また、本実施形態の決済装置１００で実行されるプログラムをインターネット等のネットワーク経由で提供または配布するように構成しても良い。
【００６８】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００６９】
１…ＰＯＳシステム、２１…支払方法設定画面、２１ａ…表示ボタン、２１ｂ…非表示ボタン、２１ｃ…現在の設定、２２…データ受信画面、２２ａ…ＰＯＳマーク、２３…カード案内画面、２４…支払選択画面、２４ａ…一括ボタン、２４ｂ…分割ボタン、２４ｃ…ボーナスボタン、２４ｄ…ボーナス併用ボタン、２４ｅ…リボボタン、２５…暗証番号受付画面、２６…通信中の画面、２７…承認画面、２８…データ送信画面、２８ａ…ＰＯＳマーク、３１…保守員専用アプリケーション、３２…決済用アプリケーション、１００…決済装置、１０１…本体、１０２…電源スイッチ、１０３…上面パネル、１０４…表示部、１０４ａ…ＬＣＤ、１０４ｂ…タッチパネル、１０５…カードリーダ、１０６…プリンタ、１０７…リセットボタン、１０８…レシート発行口、１１０…ＣＰＵ、１１１…表示コントローラ、１１２…メモリ、１１３…通信Ｉ／Ｆ、２００…ピンパッド端末、２０１…カード差込口、２０２…ピンパッド、３００…ＰＯＳ端末、３０１…本体、３０２、３０３…表示部、３０４…キーボード、３０５…プリンタ、３０６…レシート発行口
【先行技術文献】
【特許文献】
【００７０】
【特許文献１】特開２００５−１５７８３３号公報
【図１】
2012215981.tif 000003
【図２】
2012215981.tif 000004
【図３】
2012215981.tif 000005
【図４】
2012215981.tif 000006
【図５】
2012215981.tif 000007
【図６】
2012215981.tif 000008
【図７】
2012215981.tif 000009
【図８】
2012215981.tif 000010
【図９】
2012215981.tif 000011
【図１０】
2012215981.tif 000012
【図１１】
2012215981.tif 000013
【図１２】
2012215981.tif 000014